【手続補正書】
【提出日】平成17年6月21日(2005.6.21)
【手続補正１】
【補正対象書類名】明細書
【補正対象項目名】特許請求の範囲
【補正方法】変更
【補正の内容】
【特許請求の範囲】
【請求項１】  送信機の構成部品による歪を補償するために、無線通信システムにおいて、送信用のデータ・ストリームに働きかけるためのパルス関数の周波数と振幅との間の関係を定義するための方法であって、
無線通信システム要件および補償対象の歪に基づいて必要なコスト・パラメータを定義するステップと、
前記必要なコスト・パラメータにより周波数範囲内の前記パルス関数の前記振幅を定義するステップとを含む方法。
【請求項２】  請求項１に記載の方法において、
前記補償が、非直線性歪に対する補償である方法。
【請求項３】  請求項２に記載の方法において、
補償対象の前記歪を定義するステップが、第一および第二の歪を定義するステップを含む方法。
【請求項４】  請求項３に記載の方法において、
前記第一および第二の歪が、異なる構成部品の許容値に関連する方法。
【請求項５】  請求項３または請求４に記載の方法において、
前記方法が、前記第一および第二の歪を加重する方法。
【請求項６】  請求項１乃至５の何れかに記載の方法において、
前記補償が、前記送信機の線形構成部品による歪に対する補償である方法。
【請求項７】  請求項６に記載の方法において、
前記補償が、再構成フィルタによる歪に対する補償である方法。
【請求項８】  請求項２乃至５の何れかに記載の方法において、
前記補償が、前記送信機の非線形構成部品による歪に対する補償である方法。
【請求項９】  請求項８に記載の方法において、
前記補償が、電力アンプによる歪に対する補償である方法。
【請求項１０】  送信機の第一および第二の構成部品による歪を補償するために、無線通信システムにおいて、送信用のデータ・ストリームに働きかけるためのパルス関数の周波数と振幅との間の関係を定義するための方法であって、
前記第一の構成部品のために必要なコスト・パラメータにより、ある周波数範囲内で、前記パルス関数の振幅を定義するための前記請求項１乃至９の何れかに記載の方法と、
前記第二の構成部品に対する補償対象の歪に基づいて、前記第二の構成部品に対するコスト・パラメータを定義するステップと、
前記第二の構成部品のコスト・パラメータ、および前記第一の構成部品に対して定義した前記パルス関数により、ある周波数範囲内の前記パルス関数の振幅を定義するステップとを含む方法。
【請求項１１】  請求項１０に記載の方法において、
請求項６または７の何れかによる場合で、前記第二の構成部品による歪に対する前記補償が、非直線性歪に対する補償である方法。
【請求項１２】  請求項１１に記載の方法において、
前記補償が、前記送信機の非線形構成部品による歪に対する補償である方法。
【請求項１３】  請求項１乃至１２の何れかに記載の方法において、
前記必要なコスト・パラメータが、構成部品の許容値、電力効率、スペクトル効率、ビット誤り率、ＡＦＣ、ナイキストおよびエネルギーを含む一つまたはそれ以上のグループから選択される方法。
【請求項１４】  請求項１乃至１３の何れかに記載の方法において、
必要なコスト・パラメータが、ＴＤＭＡ無線通信システム要件に基づいて定義される方法。
【請求項１５】  請求項１乃至１４の何れかに記載の方法において、
前記必要なコスト・パラメータが、ＧＳＭ要件に基づいて定義される方法。
【請求項１６】  請求項１４または請求項１５に記載の方法において、
前記パルス関数が、ガウス波形のパルスが送信できるように定義される方法。
【請求項１７】  請求項１乃至１３の何れかに記載の方法において、
必要なコスト・パラメータが、ＣＤＭＡ要件に基づいて定義される方法。
【請求項１８】  請求項１７に記載の方法において、前記パルス関数が、平方根二乗余弦パルスが送信できるように定義される方法。
【請求項１９】  請求項１乃至１８の何れかに記載の方法において、
ある周波数範囲内の前記パルス関数の振幅が、コスト・パラメータのバランスが受け入れることができるようになるまで、前記パルス関数が変更され、前記コスト・パラメータが決定される反復プロセスにより定義される方法。
【請求項２０】  請求項１乃至１９の何れかに記載の方法において、
前記方法が、各コスト・パラメータを加重するステップを含む方法。
【請求項２１】  請求項２０に記載の方法において、
コスト・パラメータ間の受け入れることができるバランスが、各加重により各コストを最適化することにより達成される方法。
【請求項２２】  請求項２１に記載の方法において、
前記最適化が、最適化装置コンピュータ・プログラムにより行われる方法。
【請求項２３】  請求項１乃至２２の何れかに記載の方法により定義された関係に従って成形されたパルス関数に従って、データ・ストリームを変換するためのパルス関数ゼネレータ。
【請求項２４】  無線通信システムで、送信するための信号を供給するための変調器であって、
請求項２３に記載の前記パルス関数ゼネレータにより、データ・ストリームを成形するための手段を備える変調器。
【請求項２５】  請求項２４に記載の変調器において、
前記成形手段が、参照用テーブルを備える変調器。
【請求項２６】  通信装置用のトランシーバであって、請求項２４または請求項２５に記載の変調器と復調器とを備えるトランシーバ。
【請求項２７】  通信システムで動作することができる通信装置であって、請求項２６に記載のトランシーバを備える通信装置。
【請求項２８】  あるチャネルが、周波数とタイムスロットとの組合せであるＴＤＭＡ無線通信システムにおいて第一のモードで、またＣＤＭＡ無線通信システムにおいて第二のモードで動作することができ、前記第一および第二の動作モードで、所定の変調スキームに従って、データ・ストリームをキャリヤ信号で変調するための変調器と、無線電話の動作モード、および前記送信機の構成部品による歪に応じて、各パルス関数に従って、データ・ストリームを成形するためのパルス関数ゼネレータとを備えるデュアル・モード通信装置。
【請求項２９】  第一の組のコスト・パラメータが必要な場合には、第一のモードで動作することができ、第二の組のコスト・パラメータが必要な場合には、第二のモードで動作することができるデュアル・モード通信装置であって、前記無線電話が、
第一の組の必要なコスト・パラメータに基づいて成形したパルス関数に従って、データ・ストリームを変換するための第一のパルス関数ゼネレータと、
第二の組の必要なコスト・パラメータに基づいて成形したパルス関数に従って、データ・ストリームを変換するための第二のパルス関数ゼネレータと、
前記無線電話の動作モードに従って、前記パルス関数ゼネレータを選択するための手段とを備え、
少なくとも一つのパルス関数が、請求項１乃至２２の何れかに記載の前記方法の中のどれかで定義された関係に従って成形される、デュアル・モード通信装置。
【請求項３０】  請求項２９に記載の通信装置において、
前記第一のモードの場合には第一のデータ速度で、前記第二のモードの場合には第二のデータ速度で動作することができる通信装置。
【請求項３１】  請求項２９に記載のデュアル・モード通信装置において、前記第一のデータ速度が、音声用途をサポートし、前記第二のデータ速度がデータ用途をサポートする通信装置。
【請求項３２】  第一の組のコスト・パラメータが必要な場合には第一のモードで動作することができ、第二の組のコスト・パラメータが必要な場合には第二のモードで動作することができるデュアル・モード通信装置であって、
無線電話が、前記第一および第二の動作モードで所定の変調スキームに従って、データ・ストリームをキャリヤ信号で変調するための変調器と、
第一の組の必要なコスト・パラメータ、および前記送信機の構成部品による歪に基づいて成形されたパルス関数に従って、データ・ストリームを成形するための第一のパルス関数ゼネレータと、
第二の組の必要なコスト・パラメータ、および送信機び構成部品による歪に基づいて成形されたパルス関数に従って、データ・ストリームを成形するための第二のパルス関数ゼネレータと、
前記無線電話の動作モードに従って、前記パルス関数ゼネレータを選択するための手段とを備える、デュアル・モード通信装置。
【請求項３３】  所定の送信機を使用する通信システム用の変調スキームを選択するための方法であって、
請求項１乃至２２の何れかに記載の前記方法に従って、第一の変調スキーム用のパルス関数を定義するステップと、
必要な同じコスト・パラメータ用の第二の変調スキーム用のパルス関数を定義するステップと、
各スキーム用の合成コスト・パラメータを決定するステップと、
優れた合成コスト・パラメータを所与の必要な形に成形する、変調スキームを選択するステップとを含む方法。